(57)【要約】【課題】携帯端末機器でテレビ番組を視聴する際、公共の場では大きな音量で視聴すると他の人にとってはうるさく不快な気持ちにさせるため、音量を下げる必要があるが、毎回手動で操作するのが面倒である。【解決手段】全地球測位システム（Ｇｌｏｂａｌ  Ｐｏｓｉｔｉｏｎｉｎｇ  Ｓｙｓｔｅｍ：ＧＰＳ）衛星によって位置を判断できる携帯端末機器であって、前記携帯端末機器はＧＰＳ衛星の電波を受信する電波受信装置と前期電波受信装置が電波を受けた場合に位置を判断する位置判断部を付加し、前記位置判断部で公共の場である事を判断した場合、音量制御部によって自動で音量を制限し、制限した音量を出力する音声出力部を備える。【選択図】図２
2006254012.tif 000002
【特許請求の範囲】
【請求項１】
携帯端末機器での音量制御システムであって、前記携帯端末機器は、全地球測位システム（Ｇｌｏｂａｌ  Ｐｏｓｉｔｉｏｎｉｎｇ  Ｓｙｓｔｅｍ：ＧＰＳ）衛星の電波を受信する電波受信手段と、前記電波受信手段が受け取った電波により位置を判断する位置判断手段と、前記位置判断手段の結果が公共の場であった場合に音量を制御する音量制御手段と、前記音量制御手段からの命令に従い音声を出力する音声出力手段を備えることを特徴とする音量制御システム。
【請求項２】
前記携帯端末機器は、音量の出力を調節できる音量調節手段と、前記位置判断手段の結果に対応した音量操作実績を記憶する記憶手段を更に備え、いつも同じ位置で前記音量調節手段を操作した場合、そのことを記憶し、前期記憶手段で記憶した場所では、前記音量制御手段で常に決まった音量に制御することを特徴とする請求項１記載の音量制御システム。
【発明の詳細な説明】
【技術分野】
【０００１】
本発明は、携帯端末機器から出力する音量を制御する音量制御システムに関するものである。
【背景技術】
【０００２】
着信音量の設定変更等をする際は、基地局の設定を変更することなく、人為的な操作なしでは不可能であった。
【０００３】
そこで、全地球測位システム（Ｇｌｏｂａｌ  Ｐｏｓｉｔｉｏｎｉｎｇ  Ｓｙｓｔｅｍ：ＧＰＳ）衛星からの電波によって位置を検索できる検索手段を備えることで可能にしたシステムが公知である（例えば、特許文献１参照）。
【特許文献１】特開２００３−１５２８２３号公報
【発明の開示】
【発明が解決しようとする課題】
【０００４】
しかしながら、上記従来のシステムにおいては、ＧＰＳ衛星の電波から判断した位置に対応したデータベースを作成し、前記データベースを参照して該当位置に対応して登録されている着信音量を読み出すシステムになっており、データベース用のメモリーが必要であった。
【０００５】
本発明では上記事情に鑑みてなされたもので、本発明の音量制御システムは、ＧＰＳ衛星の電波によって公共の場であることを判断した場合、自動的に音量を制御することを目的とする。また、上記従来のシステムでは、着信音量や着信時に振動させるか等について記述されているが、携帯端末機器でのテレビ放送受信時の音量制御に関するものではない。
【課題を解決するための手段】
【０００６】
本発明の請求項１に係る音量制御システムは、携帯端末機器での音量制御システムであって、前記携帯端末機器は、全地球測位システム（Ｇｌｏｂａｌ  Ｐｏｓｉｔｉｏｎｉｎｇ  Ｓｙｓｔｅｍ：ＧＰＳ）衛星の電波を受信する電波受信手段と、前記電波受信手段が受け取った電波により位置を判断する位置判断手段と、前記位置判断手段の結果が公共の場であった場合に音量を制御する音量制御手段と、前記音量制御手段からの命令に従い音声を出力する音声出力手段を備えることを特徴とする。
【０００７】
また、本発明の請求項２に係る音声制御システムは、請求項１記載の音声制御システムの構成において、前記携帯端末機器は、音量の出力を調節できる音量調節手段と、前記位置判断手段の結果に対応した音量操作実績を記憶する記憶手段を更に備え、いつも同じ位置で前記音量調節手段を操作した場合そのことを記憶し、前記記憶手段で記憶した場所では、前記音量制御手段で常に決まった音量に制御することを特徴とする。
【発明の効果】
【０００８】
本発明の音声制御システムによれば、使用者が公共の場で携帯端末機器を用いてテレビ放送を視聴する際、ＧＰＳ衛星の電波によって位置を判断し、位置に合わせ音量制御を可能にした携帯端末器機を用いることで、使用者は手動で音量を下げことなく、他人に迷惑がかからない音量でテレビ放送を視聴することができる。
【発明を実施するための最良の形態】
【０００９】
（実施の形態１）
図１は、本発明の実施の形態１における音声制御システムの外観を示す図である。図１において、符号１０１は携帯端末機器、符号１０２は電波受信装置、符号１０３は音声出力装置、符号１０４は表示装置、符号１０５は全地球測位システム（Ｇｌｏｂａｌ  Ｐｏｓｉｔｉｏｎｉｎｇ  Ｓｙｓｔｅｍ：ＧＰＳ）衛星を示す。
【００１０】
音声制御システムは、携帯端末機器１０１で構成されている。携帯端末機器１０１にはＧＰＳ衛星の電波を受信する電波受信装置１０２と音声を出力する音声出力装置１０３とテレビ放送の映像を表示する表示装置１０４が設けられている。一般に携帯端末機器の場所を把握する信号は、ＧＰＳ衛星の電波が多用されているが、基地局からの電波や、屋内に設置された電波や信号でもよい。また、音声出力装置を備えているが、イヤホンを用いて音声を聞いている場合の音量制御も可能とする。
【００１１】
図２は、本発明の実施の形態１における音声制御システムの構成図である。図２において、符号１０１は携帯端末機器、符号１０２は電波受信装置、符号１０３は音声出力装置、符号１０４は表示装置、符号２０１はマイコン、符号２０２は位置判断部、符号２０３は音量制御部、符号２０４は記憶部、符号２０５はチューナを示す。
【００１２】
携帯端末機器１０１において、電波受信装置１０２はＧＰＳ衛星からの電波を受信する。マイコン２０１は位置判断部２０２と音量制御部２０３を含む。位置判断部２０２は、電波受信装置１０２からの信号を受け現在の位置を判断する。音量制御部２０３は、位置判断部２０３の位置についての情報を受け音量を制御する。記憶部２０４は音量を制御した際の制御前の音量値を記憶する。チューナ２０５はアンテナから映像と音声の信号を受信し、音声の信号を音量制御部２０３へ、映像の信号を表示装置２０４へ送る。音声出力装置１０３は音量制御部２０３からの命令を受け、命令にあった音声を出力する。表示装置１０４はチューナ２０５からの映像の信号を受け映像を表示する。
【００１３】
さて、従来の技術では、ＧＰＳ衛星の電波から判断した位置に対応したデータベースを作成し、前記データベースを参照して該当位置に対応して登録されている着信音量を読み出すシステムになっており、データベース用のメモリーが必要であった。
【００１４】
上記の問題点を回避するためには、データベース用のメモリーを用意するのではなく、音量制御が必要な場合は公共の場であるため、ＧＰＳ衛星の電波によって公共の場であることがわかった場合は、自動で音量を制御するようにすればよい。以下に、その一例を示す。
【００１５】
使用者が電車に乗り降りする際、携帯端末機器１０１を用いてテレビ放送を視聴している場合で、かつ、携帯端末機器１０１には電車の中では音量を３にするような初期設定をしている場合の例を挙げて、以下に本発明の実施の形態１についての処理の説明をする。ここでは、音量を制限が必要な公共の場所は電車の中とし、駅のホームでは音量の制限は必要ないと仮定する。
【００１６】
まず、使用者が電車へ乗る場合である。使用者は電車待ちのため駅のホームにいたとする。そこで、携帯端末機器１０１に付属されたキーで操作を行い、テレビ放送を受信し、表示装置１０４にテレビ映像を表示させる。同時に、音声出力装置１０３から音量を１０で出力させる。このときＧＰＳ衛星の電波による携帯端末機器１０１の位置は線路の手前であると位置判断部２０２は判断しており、音量制御部２０３では音量を制限する処理は行なっていない。そこに、使用者が乗る予定の電車が到着し、使用者は電車に乗り込む。電車に乗り込んだ際、ＧＰＳ衛星の電波の変化を電波受信装置１０２が受け、位置判断部２０２は携帯端末機器１０１が線路上に位置している（＝電車の中である）ことを判断する。そこで、電車の中であることを音量制御部２０３に伝え、音量制御部２０３は予め設定されていた「電車の中では音量を３にする」制御を行い、音声出力装置１０３からは音量を１０で出力していたのを３の音量で出力させる。ここで、音量を制御する前の音量値１０は記憶部２０４に記憶させておく。また、音量を急に下げるか、徐々に下げていくかのどちらの制御も音量制御部２０３では可能であり、設定した方で制御するものとする。
【００１７】
次に、使用者が電車から降りる場合である。使用者は電車の中では前記状況で、携帯端末機器１０１を用いてテレビ放送を音量３で視聴している。そこで、駅に電車が到着し電車から降りようとする。ＧＰＳ衛星の電波の変化を電波受信装置１０２が受け、位置判断部２０２は携帯端末機器１０１が線路上でなくなった（＝電車から降りた）ことを判断する。そこで、電車から降りたことを音量制御部２０３に伝え、音量制御部２０３は記憶部２０４から音量を３に変化させる前の音量値１０を読み出してきて、音量出力装置１０３からは音量を３で出力していたのを１０の音量で出力させる。この場合も、音量を急に上げるか、徐々に上げるかのどちらの制御も音量制御部２０３では可能であり、設定した方で制御するものとする。
【００１８】
図３は本発明の実施の形態１における携帯端末機器１０１の全体処理を示すフロー図である。以下に本処理の流れを示す。
【００１９】
最初に、位置判断処理（Ｓ３０１）でＧＰＳ衛星の電波による位置判断を行い、位置に変化があった場合や公共の場であった場合は、テレビ放送受信確認処理（Ｓ３０２）で現在テレビ放送を受信していているかの確認を行い、テレビ放送を受信していた場合は音量制御（Ｓ３０３）を行なう。次に、制御した音量で音声出力処理（Ｓ３０４）を行なう。
【００２０】
図４は本発明の実施の形態１における携帯端末機器１０１の音量制御処理で、位置の変化による場合分けのフロー図である。以下に本処理の流れを示す。
【００２１】
まず、位置に変化があるか（Ｓ４０１）で場合が３つに分かれる。公共の場以外から公共の場に変化した場合は、音量を現在の出力から制限用の初期設定値に変更する（Ｓ４０２）。変化がない場合は、音量は現在の出力値そのままである（Ｓ４０３）。公共の場から公共の場以外に変化した場合は、音量を現在出力している制限用の初期設定値へ変更する前の音量値にする（Ｓ４０４）。
【００２２】
（実施の形態２）
本発明の実施の形態２は、実施の形態１の構成において、音量の出力を調節できる音量調節する手段と、前記位置判断手段の結果に対応した音量操作実績を記憶する記憶する手段を使って、いつも同じ位置で前記音量調節手段を操作した場合、そのことを記憶し、前期記憶手段で記憶した場所では、前記音量制御手段で常に決まった音量に制御する機能を付加した形態である。
【００２３】
図５は、本発明の実施の形態２における音声制御システムの外観を示す図である。図５において、符号１０１は携帯端末機器、符号１０２は電波受信装置、符号１０３は音声出力装置、符号１０４は表示装置、符号１０５は全地球測位システム（Ｇｌｏｂａｌ  Ｐｏｓｉｔｉｏｎｉｎｇ  Ｓｙｓｔｅｍ：ＧＰＳ）衛星、符号１０６は音量調節装置を示す。
【００２４】
音声制御システムは、携帯端末機器１０１で構成されている。携帯端末機器１０１にはＧＰＳ衛星の電波を受信する電波受信装置１０２と音声を出力する音声出力装置１０３とテレビ放送の映像を表示する表示装置１０４と音量の調節を行なう音量調節装置１０６が設けられている。一般に携帯端末機器の場所を把握する信号は、ＧＰＳ衛星の電波が多用されているが、基地局からの電波や、屋内に設置された電波や信号でもよい。また、音声出力装置を備えているが、イヤホンを用いて音声を聞いている場合の音量制御も可能とする。
【００２５】
図６は、本発明の実施の形態２における音声制御システムの構成図である。図６において、符号１０１は携帯端末機器、符号１０２は電波受信装置、符号１０３は音声出力装置、符号１０４は表示装置、符号１０６は音量調節装置、符号２０１はマイコン、符号２０２は位置判断部、符号２０３は音量制御部、符号２０４は記憶部、符号２０５はチューナ、符号２０６は入力処理部を示す。
【００２６】
携帯端末機器１０１において、電波受信装置１０２はＧＰＳ衛星からの電波を受信する。音量調節装置１０６は使用者によって音量＋／−を操作される。マイコン２０１は位置判断部２０２と音量制御部２０３と入力処理部２０６を含む。位置判断部２０２は、電波受信装置１０２からの信号を受け現在の位置を判断する。音量制御部２０３は、位置判断部２０３の位置についての情報を受け音量を制御する。入力処理部２０６は、音量調節装置２０６から使用者の操作情報を整理する。記憶部２０４は音量を制御した際の制御前の音量値を記憶する。また、音声制御中に音量調節装置１０６が操作された回数を位置に対応させて記憶する。チューナ２０５はアンテナから映像と音声の信号を受信し、音声の信号を音量制御部２０３へ、映像の信号を表示装置２０４へ送る。音声出力装置１０３は音量制御部２０３からの命令を受け、命令にあった音声を出力する。表示装置１０４はチューナ２０５からの映像の信号を受け映像を表示する。
【００２７】
ここで、使用者が住んでいる最寄り駅から８時発の電車に乗って毎朝会社へ行く際、携帯端末機器１０１を用いてテレビ放送を視聴している場合で、かつ、携帯端末機器１０１には電車の中では音量を３にするような初期設定をしている場合の例を挙げて、以下に本発明の実施の形態２についての処理の説明をする。また、ここでは、音量を制限が必要な公共の場所は電車の中とし、駅のホームでは音量の制限は必要ないと仮定する。
【００２８】
使用者は電車待ちのため駅のホームにいたとする。そこで、携帯端末機器１０１に付属されたキーで操作を行い、テレビ放送を受信し、表示装置１０４にテレビ映像を表示させる。同時に、音声出力装置１０３から音量を１０で出力させる。このときＧＰＳ衛星の電波による携帯端末機器１０１の位置は線路の手前であると位置判断部２０２は判断しており、音量制御部２０３では音量を制限する処理は行なっていない。そこに、使用者が乗る予定の電車が到着し、使用者は電車に乗り込む。電車に乗り込んだ際、ＧＰＳ衛星の電波の変化を電波受信装置１０２が受け、位置判断部２０２は携帯端末機器１０１が線路上に位置している（＝電車の中である）ことを判断する。そこで、電車の中であることを音量制御部２０３に伝え、音量制御部２０３は予め設定されていた「電車の中では音量を３にする」制御を行おうとするが、さらにここで、使用者は音量調整装置１０６を用いて音量を３から０に下げたため、入力処理部２０６を介して記憶部２０４に現在の詳細な位置と対応させて音量値０を記憶し、音量制御部２０３は音量を１０から０にする命令を音声出力装置１０３へ送り、音声出力装置１０３からは音量を０で出力する。ここで、音量を制御する前の音量値１０は記憶部２０４に記憶させておく。また、音量を急に下げるか、徐々に下げていくかのどちらの制御も音量制御部２０３では可能であり、設定した方で制御するものとする。
【００２９】
この操作を３日続けたとし、記憶装置は３日連続で同じ位置で同じ操作をしたことを記憶し、４日目からは、使用者が８時発の同じ電車に乗った場合は、音量制御部は音量を３にするのではなく０に設定し、音声出力装置１０３から音量は０で出力するようになる。
【００３０】
次に、使用者が電車から降りる場合である。使用者は電車の中では前記状況で、携帯端末機器１０１を用いてテレビ放送を音量０で視聴している。そこで、駅に電車が到着し電車から降りようとする。ＧＰＳ衛星の電波の変化を電波受信装置１０２が受け、位置判断部２０２は携帯端末機器１０１が線路上でなくなった（＝電車から降りた）ことを判断する。そこで、電車から降りたことを音量制御部２０３に伝え、音量制御部２０３は記憶部２０４から電車に乗る前の音量値１０を読み出してきて、音量出力装置１０３からは音量を０で出力していたのを１０の音量で出力させる。この場合も、音量を急に上げるか、徐々に上げるかのどちらの制御も音量制御部２０３では可能であり、設定した方で制御するものとする。
【産業上の利用可能性】
【００３１】
本発明の音量制御システムは、使用者が携帯端末機器でテレビ放送を受信し視聴する際、公共の場では大きな音量で視聴すると他の人にとってはうるさく不快な気持ちにさせるため、音量を下げる必要があるが、ＧＰＳ衛星の電波によって携帯端末機器の位置を把握できるようになり、公共の場では自動で音量を制御させることが可能になり、使用者にとっては毎回手動で操作するとこがなくなり不快感が軽減させることができ、また他の人にとってもが音量が小さく制御されることによって、不快感が軽減され、携帯端末機器でのテレビ放送の公共の場での視聴手段として有用である。
【図面の簡単な説明】
【００３２】
【図１】本発明の実施の形態１における音量制御システムの外観を示す図
【図２】本発明の実施の形態１における音量制御システムの構成図
【図３】本発明の実施の形態１における携帯端末機器の全体処理を示すフローチャート
【図４】本発明の実施の形態１における携帯端末機器の音量制御処理を示すフローチャート
【図５】本発明の実施の形態２における音量制御システムの外観を示す図
【図６】本発明の実施の形態２における音量制御システムの構成図
【符号の説明】
【００３３】
１０１    携帯端末機器
１０２    電波受信装置
１０３    音声出力装置
１０４    表示装置
１０５    ＧＰＳ衛星
１０６    音量調節装置
２０１    マイコン
２０２    位置判断部
２０３    音量制御部
２０４    記憶部
２０５    チューナ
２０６    入力処理部
【図１】
2006254012.tif 000003
【図２】
2006254012.tif 000004
【図３】
2006254012.tif 000005
【図４】
2006254012.tif 000006
【図５】
2006254012.tif 000007
【図６】
2006254012.tif 000008